(57)【特許請求の範囲】
【請求項１】
直流電源からトランスの１次巻線に供給される直流電流をスイッチングして、前記トランスの２次巻線に電圧を発生させるスイッチング素子と、
前記スイッチング素子のオフ時間を決定する時定数回路とを有し、前記スイッチング素子は、前記時定数回路のコンデンサの電圧と前記トランスの２次巻線の出力電圧と前記トランスの３次巻線に接続された過電流保護端子に加わる電圧とに基づきオン／オフされるスイッチング電源であって、
前記時定数回路のコンデンサの電圧と第１基準電圧とを比較する第１比較器と、
軽負荷時で且つ前記スイッチング素子がオフの時に、前記トランスの１次巻線のインダクタンスと前記スイッチング素子の主端子間に接続された共振容量との共振により発生して前記過電流保護端子に加わる電圧と第２基準電圧とを比較する第２比較器と、
軽負荷時に、前記第１比較器の出力と前記第２比較器の出力とに基づいて、前記スイッチング素子がオフした後、前記過電流保護端子に加わる電圧が前記第２基準電圧未満に減少した後に前記過電流保護端子に加わる電圧が前記オフ時間が経過する前に上昇して前記第２基準電圧に達した時から前記スイッチング素子のオン期間終了時まで、前記コンデンサに加える充電電圧を上昇した電圧に切り替えるための切替信号を生成する切替信号生成回路と、
切替信号出力中に前記過電流保護端子に加わる電圧が前記第２基準電圧未満に減少した時に前記スイッチング素子をオンし該スイッチング素子のオン期間中、前記切替信号生成回路の切替信号により前記コンデンサに加える充電電圧を前記上昇した電圧に切り替えて前記スイッチング素子のオフ時間を延長させる充電電圧切替回路と、
を有することを特徴とするスイッチング電源。
【発明の詳細な説明】
【０００１】
【発明の属する技術分野】
本発明は、スイッチング電源に関し、特に、軽負荷時にもＯＦＦ時間をのばすことで安定な出力電圧を得ることができる制御回路を有するスイッチング電源に関する。
【０００２】
【従来の技術】
図４は、従来の擬似共振型のスイッチング電源１１の概略構成図である。
【０００３】
直流電源を接続するための電源入力端子間には電源用コンデンサＣ１が接続され、電源入力端子Ｖｉｎ＋は、トランス１３の１次巻線Ｌ１の一端に接続されている。また、このトランス１３には、１次巻線Ｌ１に対して電磁結合された２次巻線Ｌ２、３次巻線Ｌ３が設けられている。
【０００４】
トランス１３の１次巻線Ｌ１の他端は、スイッチング素子Ｑ１のドレイン端子に接続されており、このスイッチング素子Ｑ１のドレイン端子とソース端子には、共振用コンデンサＣｐが並列接続され、さらに、ソース端子は制御部１７のグランド端子に接続されている。
【０００５】
トランス１３の２次巻線Ｌ２の一端は、整流用ダイオードＤ１のアノード端子に接続され、整流用ダイオードＤ１のカソード端子を介して平滑用コンデンサＣ３、フォトカプラＰＣａのアノード端子、エラーアンプ１５、出力端子Ｖｏｕｔに接続されている。一方、２次巻線Ｌ２の他端は、グランド端子（ＧＮＤ）に接続されている。
【０００６】
上述したフォトカプラＰＣａは、発光素子からなり、出力端子Ｖｏｕｔの出力電圧をエラーアンプ１５で検出して出力電圧レベルに応じたフィードバック信号をフォトカプラＰＣｂへ送る。このフォトカプラＰＣｂは、フォトトランジスタからなり、制御部１７のフィードバック端子ＦＢとグランド端子の間に接続されており、フィードバック信号は制御部１７のトランジスタＱ７のコレクタ端子に入力される。
【０００７】
トランス１３の３次巻線Ｌ３の一端は、上述したダイオードＤ３のアノード端子に接続され、さらに、抵抗Ｒ５からダイオードＤ５を介して過電流保護端子ＯＣＰ接続されている。また、トランス１３の３次巻線Ｌ３の他端は、制御部１７のグランド端子に接続されている。
【０００８】
さらに、制御部１７の過電流保護端子ＯＣＰとグランド端子との間には、コンデンサＣ７が接続されている。
【０００９】
なお、トランス１３の３次巻線Ｌ３の一端は、抵抗Ｒ５、ダイオードＤ５を介して過電流保護端子ＯＣＰに接続されているコンデンサＣ７に接続され、スイッチング素子Ｑ１がオフ時に３次巻線Ｌ３に発生した電圧によりコンデンサＣ７を充電し、過電流保護端子ＯＣＰの電位を上昇させる。また、スイッチング素子Ｑ１がオフ時に３次巻線Ｌ３に発生した電圧をダイオードＤ３で整流しコンデンサＣ５に充電することで、制御部１７の補助電源として定電圧化回路１９に供給される。
【００１０】
ここで、制御部１７の内部構成を詳細に説明する。
【００１１】
定電圧化回路１９は、起動抵抗Ｒ１からＣ５に蓄積された電圧を供給されると、安定化した内部基準電圧を出力する。
【００１２】
オフ時間発生回路２３は、コンデンサＣ９と抵抗Ｒ１１による時定数で決定される時間（以下、内部オフ時間という）Ｔｏｆｆを発生する回路であり、内部オフ時間Ｔｏｆｆが終了してコンデンサＣ９の電位Ｖ２が基準電位Ｖ１より低くなるとコンパレータＣＭＰ１からハイレベルのオン時間Ｔｏｎが開始され駆動回路２５に出力される。駆動回路２５は、その入力電位となるハイ電位またはグランド電位のオンオフ信号に応じた信号を抵抗Ｒ１９を介してスイッチング素子Ｑ１のゲート端子に出力する。
【００１３】
カレントミラー回路は、トランジスタＱ７，Ｑ９からなり、一方のトランジスタＱ７のコレクタ端子からフォトカプラＰＣｂのコレクタ端子に向かって電流が流れた場合に、他方のトランジスタＱ９のコレクタ端子からコンデンサＣ１１に一定比率の電流が流れる。
【００１４】
コンパレータＣＭＰ５は、過電流保護端子ＯＣＰの電位が低下し、この電位がオフ制御電位Ｖ３（例えば、−０．７３Ｖ）に達すると、オン信号をスイッチング素子Ｑ５のベース端子に出力する。この結果、スイッチング素子Ｑ５がオンして駆動回路２５の入力側がグランド電位になり、駆動回路２５を介してスイッチング素子Ｑ１がオフされる。
【００１５】
コンパレータＣＭＰ３は、過電流保護端子ＯＣＰの電位が上昇し、この電位がオフ制御電位Ｖ４（例えば、０．３Ｖ）に達すると、オン信号をスイッチング素子Ｑ１１のベース端子に出力する。この結果、スイッチング素子Ｑ１１がオンして駆動回路２５の入力側がグランド電位になり、駆動回路２５を介してスイッチング素子Ｑ１がオフされる。
【００１６】
コンパレータＣＭＰ７は、コンデンサＣ１１が充電されて過電流保護端子ＯＣＰの電位よりも大きくなったときにオン信号をスイッチング素子Ｑ１３のベース端子に出力し、このスイッチング素子Ｑ１３がオンして駆動回路２５の入力がグランド電位になり、スイッチング素子Ｑ１をオフする。
【００１７】
インバータＩＮＶの入力端子には、駆動回路２５の入力側の信号が入力されており、オフ信号が入力されと、インバータＩＮＶの出力は反転してハイ信号となりスイッチング素子Ｑ１５をオンして充電されているコンデンサＣ１１を放電する。
【００１８】
次に、図５に示すタイミングチャートを参照して、従来の擬似共振型のスイッチング電源の動作を説明する。
【００１９】
まず、スイッチング素子Ｑ３のエミッタ端子に接続されているコンデンサＣ９と抵抗Ｒ１１による時定数で決定される内部オフ時間の間に、コンデンサＣ９の電荷が抵抗Ｒ１１で放電され、Ｖ２が例えば１．２Ｖまで降下すると、コンパレータＣＭＰ１はオンし、駆動回路２５を介してスイッチング素子Ｑ１をオンする。
【００２０】
図５のタイミングＴａでは、スイッチング素子Ｑ１がオンすると、このスイッチング素子Ｑ１に接続された電流検出抵抗Ｒ３での電圧降下分だけ抵抗Ｒ７によってコンデンサＣ７への充電が開始され、過電流保護端子ＯＣＰの電位が低下し、この電位がオフ制御電位Ｖ３（例えば、−０．７３Ｖ）に達すると、コンパレータＣＭＰ５からオン信号がスイッチング素子Ｑ５のベース端子に出力され、このスイッチング素子Ｑ５がオンして駆動回路２５の入力がグランド電位になり、スイッチング素子Ｑ１をオフする。
【００２１】
次に、図５のタイミングＴｂでは、上述した内部オフ時間の間に、コンデンサＣ９から電荷が抵抗Ｒ１１で放電され、Ｖ２が例えば１．２Ｖまで降下すると、コンパレータＣＭＰ１はオンし、駆動回路２５を介してスイッチング素子Ｑ１をオンする。
【００２２】
この時、図５のタイミングＴｃでは、負荷が軽くなっており、出力電圧Ｖｏｕｔが上昇すると、フォトカプラＰＣａ−ＰＣｂで接続されたフィードバック信号によりカレントミラー回路の一方のトランジスタＱ７のコレクタ端子からフォトカプラＰＣｂのコレクタ端子に向かって所定値以上の電流が流れるようになり、カレントミラー回路の他方のトランジスタＱ９のコレクタ端子からコンデンサＣ１１に一定比率の電流が流れてコンデンサＣ１１を早く充電するので、コンパレータＣＭＰ７からオン信号がスイッチング素子Ｑ１３のベース端子に出力され、このスイッチング素子Ｑ１３がオンして駆動回路２５の入力がグランド電位になり、スイッチング素子Ｑ１をオフする。この結果、軽負荷時には重負荷時よりもオン期間Ｔｏｎは短くなる。
【００２３】
【発明が解決しようとする課題】
ところが、負荷が軽くなり、トランス１３の１次巻線Ｌ１の電圧の立下りのタイミングが早まった場合、内部オフ時間が経過する前に、スイッチング素子Ｑ１がオフ時に１次巻線Ｌ１のインダクタンスＬｐと、スイッチング素子Ｑ１のドレイン−ソース間にある容量Ｃｐとが共振して自由振動し、図５のＸ１点に示すように、リンギング電圧が発生し、スイッチング素子Ｑ１のＶｄｓ電圧がボトム電位まで下降する前に上昇する。同様に、過電流保護端子ＯＣＰの電位も、図５のＸ２点に示すように、グランド電位まで下降する前に上昇する。
【００２４】
この結果、図５のタイミングＴｄでは、内部オフ時間が経過しても、コンパレータＣＭＰ３の動作により強制的にオフが維持され、その後、この共振電圧が所定値まで下降した後、スイッチング素子Ｑ１がオンする。
【００２５】
このため、図５のタイミングＴｅでは、２次側の出力電圧Ｖｏｕｔが低下するので、負荷が軽いにも拘わらず、通常のフィードバック信号を入力しているコンパレータＣＭＰ５は、負荷が重いときと同じ動作を行う。すなわち、過電流保護端子ＯＣＰの電位が低下し、オフ制御電位Ｖ３（例えば−０．７３Ｖ）に達した時点で、コンパレータＣＭＰ５は、駆動回路２５の入力をグランド電位に落とし、スイッチング素子Ｑ１をオフする。
【００２６】
２次側の出力電圧Ｖｏｕｔが低下しているため、１次巻線Ｌ１の電圧の立下りタイミングも遅くなる。図５のタイミングＴｆでは、上述した内部オフ時間の間に、コンデンサＣ９の電荷が抵抗Ｒ１１で放電され、Ｖ２（例えば１．２Ｖ）まで降下すると、コンパレータＣＭＰ１がオンし、駆動回路２５を介してスイッチング素子Ｑ１をオンする。
【００２７】
しかしながら、実際の負荷は軽いため、再度、２次側の出力電圧Ｖｏｕｔは上昇し、フォトカプラＰＣａ−ＰＣｂで接続されたフィードバック端子ＦＢを介してカレントミラー回路の一方のトランジスタＱ７のコレクタ端子からフォトカプラＰＣｂのコレクタ端子に向かって所定値以上の電流が流れるようになり、同時に、カレントミラー回路の他方のトランジスタＱ９のコレクタからコンデンサＣ１１に電荷が充電され、コンパレータＣＭＰ７により、駆動回路２５の入力端子にオフ信号が入力され、スイッチング素子Ｑ１はオフされる。
【００２８】
以上のように、軽負荷時には、２次側の出力電圧Ｖｏｕｔが降下と上昇を繰り返して不安定になるといった問題があった。
【００２９】
本発明は、上記に鑑みてなされたもので、その目的としては、軽負荷時にも安定な出力電圧を得ることができ、発振が安定したスイッチング電源を提供することにある。
【００３０】
【課題を解決するための手段】
請求項１記載の発明は、上記課題を解決するため、直流電源からトランスの１次巻線に供給される直流電流をスイッチングして、前記トランスの２次巻線に電圧を発生させるスイッチング素子と、前記スイッチング素子のオフ時間を決定する時定数回路とを有し、前記スイッチング素子は、前記時定数回路のコンデンサの電圧と前記トランスの２次巻線の出力電圧と前記トランスの３次巻線に接続された過電流保護端子に加わる電圧とに基づきオン／オフされるスイッチング電源であって、前記時定数回路のコンデンサの電圧と第１基準電圧とを比較する第１比較器と、軽負荷時で且つ前記スイッチング素子がオフの時に、前記トランスの１次巻線のインダクタンスと前記スイッチング素子の主端子間に接続された共振容量との共振により発生して前記過電流保護端子に加わる電圧と第２基準電圧とを比較する第２比較器と、軽負荷時に、前記第１比較器の出力と前記第２比較器の出力とに基づいて、前記スイッチング素子がオフした後、前記過電流保護端子に加わる電圧が前記第２基準電圧未満に減少した後に前記過電流保護端子に加わる電圧が前記オフ時間が経過する前に上昇して前記第２基準電圧に達した時から前記スイッチング素子のオン期間終了時まで、前記コンデンサに加える充電電圧を上昇した電圧に切り替えるための切替信号を生成する切替信号生成回路と、切替信号出力中に前記過電流保護端子に加わる電圧が前記第２基準電圧未満に減少した時に前記スイッチング素子をオンし該スイッチング素子のオン期間中、前記切替信号生成回路の切替信号により前記コンデンサに加える充電電圧を前記上昇した電圧に切り替えて前記スイッチング素子のオフ時間を延長させる充電電圧切替回路とを有することを要旨とする。
【００３３】
【発明の実施の形態】
以下、本発明の実施の形態を図面を参照して説明する。
【００３４】
図１は、本発明の一実施の形態に係る電圧共振型のスイッチング電源５１の概略構成を示す図である。なお、本発明の一実施の形態は、図４に示す従来のスイッチング電源１１と同様の基本的構成を有しており、同一の構成要素には同一の符号を付し、その説明を省略することとする。
【００３５】
本発明では、負荷が例えば５０％程度になる軽負荷時に、リンキングの１サイクル分の動作が行われ、従来のようなリンキングの１サイクルの有り無しが交互に連続するという不安定な動作を解消するため、内部オフ時間を設定するために用いるコンデンサＣ９の充電電圧を上昇させ、内部オフ時間を長くしており、軽負荷時の内部オフ時間を延長するために、例えば図１に示すような回路構成を用いる。
【００３６】
ここで、図１を参照して、制御部５３の新たな内部構成を詳細に説明する。
【００３７】
コンパレータＣＭＰ９の入力には、内部オフ時間の設定に用いるコンデンサＣ９の電圧が入力されており、コンデンサＣ９の電圧がＶ５（例えば２Ｖ）以下、すなわち、内部オフ時間が約３μｓｅｃ前のタイミングでコンパレータＣＭＰ９が反転する。
【００３８】
このコンパレータＣＭＰ９の反転期間内の電圧共振信号を監視することによって、内部オフ時間の終了直前に疑似共振信号が立ち下がることがあったかどうかを判定する。
【００３９】
ボトム判定回路５５には、コンデンサＣ９の電圧がＶ５以下になる期間を検出するコンパレータＣＭＰ９からの出力信号と、過電流保護端子ＯＣＰに加わる電圧がＶ４以下になる期間を検出するコンパレータＣＭＰ３からの出力信号とが接続されており、ボトム判定回路５５では、コンパレータＣＭＰ３，ＣＭＰ９からの両信号に基づいて、ボトムかどうかを判定してボトムＯＮになる期間の切替信号を生成する。なお、ボトム判定回路５５には、コンパレータＣＭＰ９からの出力信号とコンパレータＣＭＰ３からの出力信号とに基づいて、ボトムＯＮになる期間の切替信号を生成して充電電圧切替回路５７に出力する切替信号生成回路を有することとする。
【００４０】
充電電圧切替回路５７は、ボトム判定回路５５によりボトムでないと判定された場合に、切替信号によりコンデンサＣ９に加える充電電圧を切り替える。
【００４１】
すなわち、ボトム判定回路５５によりボトムと判定された場合、ボトム判定回路５５からはハイレベル信号がトランジスタＱ１７のベース端子に加わり、トランジスタＱ１７がオンするので、Ｐｘ点がグランドに接地され、Ｐｙ点（トランジスタＱ１９のベース電圧）には、定電圧化回路１９の出力電圧をＲ２５とＲ２３とで分圧した電圧Ｖｐｙ（例えば４Ｖ）が加わり、トランジスタＱ１９のエミッタ端子には、電圧Ｖｐｙ＋Ｖｂｅ（ベース−エミッタ間電圧）が生じ、トランジスタＱ３のベース端子に入力される。さらに、トランジスタＱ３のエミッタ端子には、電圧Ｖｐｙ＋Ｖｂｅ−Ｖｂｅ（Ｑ３のベース−エミッタ間電圧）が生じ、コンデンサＣ９が電圧Ｖｐｙ（例えば４Ｖ）で充電される。
【００４２】
一方、ボトム判定回路５５によりボトムでないと判定された場合、ボトム判定回路５５からはローレベルの切替信号がトランジスタＱ１７のベース端子に加わり、トランジスタＱ１７がオフするので、Ｐｘ点が抵抗Ｒ２１を介してグランドに接地され、Ｐｙ点には、定電圧化回路１９の出力電圧をＲ２５とＲ２３＋Ｒ２１とで分圧した電圧Ｖｐｙ（例えば５Ｖ）が加わり、トランジスタＱ１９のエミッタ端子には、電圧Ｖｐｙ＋Ｖｂｅ（ベース−エミッタ間電圧）が生じ、トランジスタＱ３のベース端子に入力される。さらに、トランジスタＱ３のエミッタ端子には、電圧Ｖｐｙ＋Ｖｂｅ−Ｖｂｅ（Ｑ３のベース−エミッタ間電圧）が生じ、コンデンサＣ９が電圧Ｖｐｙ（例えば５Ｖ）で充電される。
【００４３】
従って、コンデンサＣ９は、ボトムでＯＮしていれば例えば４Ｖで充電され、ボトムでＯＮしていないときにはこれよりΔＶ（例えば約１Ｖ）上昇した例えば５Ｖで充電され、内部オフ時間を延長することになる。その結果、ボトムＯＮする。
【００４４】
次に、図２に示すボトム判定回路５５の内部構成、図３に示すタイミングチャートを参照して、ボトム判定回路５５の基本的な動作を詳細に説明する。
【００４５】
ボトム判定回路５５では、コンパレータＣＭＰ３からの出力は、ＯＲ１、ＡＮＤ１，ＡＮＤ２に入力されており、過電流保護端子ＯＣＰの電位が上昇し、この電位がオフ制御電位Ｖ４（例えば、０．３Ｖ）以上になっている期間では、図３に示すように、ハイレベル信号がＯＲ１、ＡＮＤ１，ＡＮＤ２に入力される。また、コンパレータＣＭＰ３によって疑似共振信号の電圧レベルが監視されており、図３のＴｇに示すように、疑似共振信号がＶ４を超える期間でハイレベル信号が出力される。
【００４６】
また、コンパレータＣＭＰ９からの出力は、ＯＲ１、ＡＮＤ１，ＡＮＤ２に入力されており、コンデンサＣ９の電位Ｖ２が低下し、この電位がオフ制御電位Ｖ５（例えば、２Ｖ）以下になっている期間では、図３に示すように、ローレベル信号がＯＲ１、ＡＮＤ１，ＡＮＤ２に入力される。
【００４７】
さらに、フリップフロップＲＳＦＦ２のセット端子Ｓには、図３に示すようなＯＲ１からの出力が入力されており、リセット端子Ｒには、図３に示すように、コンパレータＣＭＰ９からの出力が入力されているので、フリップフロップＲＳＦＦ２の反転出力端子（Ｑバー）からは、図３に示すように、内部オフ時間内で疑似共振信号がない期間を表すハイレベル信号が得られる。
【００４８】
さらにまた、フリップフロップＲＳＦＦ１のセット端子Ｓには、図３に示すようなＡＮＤ１からの出力が入力されており、リセット端子Ｒには、図３に示すようなＡＮＤ２からの出力が入力されているので、フリップフロップＲＳＦＦ１の反転出力端子（Ｑバー）からは、図３に示すように、疑似共振信号が発生している期間と、疑似共振信号が発生した直後のスイッチング素子Ｑ１がオンの期間とがローレベルになる切替信号が出力される。
【００４９】
フリップフロップＲＳＦＦ１から出力されるローレベルの切替信号が充電電圧切替回路５７に入力される。充電電圧切替回路５７は、この切替信号に応じてスイッチング素子Ｑ１７がオフし、トランジスタＱ１９のベース端子に加わる電圧がＲ２１とＲ２３との加算抵抗により生成される。この結果、コンデンサＣ９の充電電圧を例えば約１Ｖ（ΔＶ）上昇させる。
【００５０】
次に、図３に示すタイミングチャートを参照して、電圧共振型のスイッチング電源５１の動作を説明する。
【００５１】
負荷が例えば１００％になる重負荷時には、図２に示すボトム判定回路５５では、コンパレータＣＭＰ３の出力がハイレベルで、コンパレータＣＭＰ９の出力がローレベルで、かつ、フリップフロップＲＳＦＦ２の反転出力（Ｑバー）がハイのとき、フリップフロップＲＳＦＦ１に入力されているセット信号はローレベルになっており、フリップフロップＲＳＦＦ１に入力されるリセット信号により、フリップフロップＲＳＦＦ１の反転出力（Ｑバー）からハイ信号が出力される。従って、フリップフロップＲＳＦＦ１からトランジスタＱ１７のベース端子へハイ信号が出力される。
【００５２】
この結果、充電電圧切替回路５７では、トランジスタＱ１７がオン状態になってＰｘ点がグランドに接地され、Ｐｙ点（トランジスタＱ１９のベース電圧）には、定電圧化回路１９の出力電圧をＲ２５とＲ２３とで分圧した電圧として例えば４Ｖが加わり、コンデンサＣ９を例えば４Ｖで充電する。
【００５３】
一方、負荷が例えば５０％程度になる軽負荷時には、図１に示すボトム判定回路５５では、コンパレータＣＭＰ３の出力がハイレベルで、コンパレータＣＭＰ９の出力がローレベルで、かつ、フリップフロップＲＳＦＦ２の出力がローレベルのとき、フリップフロップＲＳＦＦ１に入力されているセット信号はハイレベルになり、フリップフロップＲＳＦＦ１からローレベルの切替信号が出力され、かつ、フリップフロップＲＳＦＦ１に入力されるリセット信号により、フリップフロップＲＳＦＦ１からトランジスタＱ１７へ擬似共振信号が発生してからスイッチング素子Ｑ１がオンしている期間だけローレベルの切替信号が出力される。
【００５４】
この結果、充電電圧切替回路５７では、トランジスタＱ１７がオフ状態になり、Ｐｙ点には、定電圧化回路１９の出力電圧をＲ２５とＲ２３とＲ２１とで分圧した電圧として例えば５Ｖが加わり、コンデンサＣ９を例えば５Ｖで充電する。
そして、コンデンサＣ９の充電電圧Ｖ２が例えば１Ｖ（ΔＶ）上昇することにより、内部オフ時間が例えば約３μｓｅｃ程長くなる。
【００５５】
このように、軽負荷時に、内部オフ時間を設定するために用いるコンデンサＣ９の充電電圧を上昇させ、内部オフ時間を長くしているので、リンギングの１サイクル分の動作が行われ、従来のようなリンギングの１サイクルの有り無しが交互に連続するという不安定な動作を解消することができる。
【００５６】
また、軽負荷になった次の発振周期の内部オフ時間は３μＳ長くなるので、従来のスイッチング電源であったような、長い擬似共振信号を受けても、内部オフ時間が長くなっているので、１サイクル休止する動作が継続し、安定動作となる。
【００５７】
【発明の効果】
請求項１記載の本発明によれば、第１比較器がスイッチング素子のオフ時間を決定するコンデンサの電圧と第１基準電圧とを比較し、第２比較器が軽負荷時で且つスイッチング素子がオフの時に、トランスの１次巻線のインダクタンスとスイッチング素子の主端子間に接続された共振容量との共振により発生して過電流保護端子に加わる電圧と第２基準電圧とを比較し、切替信号生成回路は軽負荷時に、第１比較器の出力と第２比較器の出力とに基づいて、スイッチング素子がオフした後過電流保護端子に加わる電圧が第２基準電圧未満に減少した後に過電流保護端子に加わる電圧がオフ時間が経過する前に上昇して第２基準電圧に達した時から前記スイッチング素子のオン期間終了時まで、切替信号を生成し、充電電圧切替回路は切替信号出力中に過電流保護端子に加わる電圧が第２基準電圧未満に減少した時にスイッチング素子をオンし該スイッチング素子のオン期間中、切替信号によりコンデンサの充電電圧を上昇させオフ時間を延長することで、軽負荷時にも安定な出力電圧を得ることができる。
【図面の簡単な説明】
【図１】本発明の一実施の形態に係る電圧共振型のスイッチング電源５１の概略構成を示す図である。
【図２】ボトム判定回路５５の内部構成を示す図である。
【図３】電圧共振型のスイッチング電源５１の動作を説明するためのタイミングチャートである。
【図４】従来の電圧共振型のスイッチング電源１１の概略構成を示す図である。
【図５】従来の電圧共振型のスイッチング電源１１の動作を説明するためのタイミングチャートである。
【符号の説明】
１３  トランス
５３  制御部
５５  ボトム判定回路
５７  充電電圧切替回路
Ｃ９  コンデンサ
ＣＭＰ３，ＣＭＰ９  コンパレータ
Ｑ１  スイッチング素子
Ｒ１１  抵抗
【図１】
0004122721.tif 000002
【図２】
0004122721.tif 000003
【図３】
0004122721.tif 000004
【図４】
0004122721.tif 000005
【図５】
0004122721.tif 000006